(57)【要約】【課題】オペレータが原稿を見ながら簡単に原稿読取領域を指定することができ、指定された原稿読取領域のみ照明して省エネルギを図り、かつ効率良く高速に画像読み取りを行うことを可能にする。【解決手段】オペレータが原稿を見ながら原稿面上のＡ点に触れると、タッチパネル部２３が該タッチパネル部２３の原点に対するＡ点の座標を認識する。オペレータは指示位置が正しいと確認すると位置確定ボタンを押す。Ａ点の接触位置の確定後、オペレータが原稿面上のＢ点に触れると前記と同様の動作が行われる。オペレータは、原稿指定領域がＡ点とＢ点を対角線とする領域で囲まれる部分であることで指定ＯＫとすれば領域決定ボタンを押す。これにより読取領域判定手段が前記領域を原稿読取領域と判定し、原稿読取領域が特定される。【選択図】図６
2010212858.tif 000002
【特許請求の範囲】
【請求項１】
原稿載置台に設けられて、原稿面を視認してオペレータが直接的あるいは間接的に触れた原稿面位置を検出する接触位置検出手段と、
前記接触位置検出手段により検出された前記オペレータが接した複数の位置から原稿読取領域を特定する読取領域判定手段と、
前記特定された原稿読取領域のみを部分的に照明可能な複数の発光素子からなる原稿面照明手段と、
前記読取領域判定手段により特定された原稿読取領域のみを前記原稿面照明手段により照明して、該原稿読取領域の原稿画像のみを読み取る原稿読取手段と、
を備えたことを特徴とする画像読取装置。
【請求項２】
前記接触位置検出手段が光透過性を有し、前記原稿載置台に載置された原稿を覆った状態において、オペレータが触れた原稿面位置を検出可能にしたことを特徴とする請求項１記載の画像読取装置。
【請求項３】
前記接触位置検出手段が原稿の読取裏面側に配されることを特徴とする請求項１記載の画像読取装置。
【請求項４】
前記接触位置検出手段が原稿の読取面側に配されることを特徴とする請求項２記載の画像読取装置。
【請求項５】
前記接触位置検出手段の検出感度が、動作環境ならびに読取原稿の種類に応じて補正可能であることを特徴とする請求項１〜４いずれか１項記載の画像読取装置。
【請求項６】
前記原稿読取手段が、前記オペレータが接して指定した複数の原稿読取領域を１回の読取動作により読取可能であることを特徴とする請求項１記載の画像読取装置。
【請求項７】
前記読取領域判定手段が、前記オペレータが接した位置を検出認識したことを報知する発音手段を備えたことを特徴とする請求項１〜５いずれか１項記載の画像読取装置。
【請求項８】
前記発音手段に前記報知音を特定の方向に発するように前記発音手段に指向性を持たせたことを特徴とする請求項７記載の画像読取装置。
【請求項９】
原稿読取部と、該原稿読取部にて読み取られた原稿情報により記録媒体に対して画像形成を行う画像形成装置において、
前記原稿読取部に請求項１〜８いずれか１項記載の画像読取装置を搭載したことを特徴とする画像形成装置。
【発明の詳細な説明】
【技術分野】
【０００１】
本発明は、読取対象の原稿面からオペレータが視認して指定した原稿読取領域のみを読取可能な画像読取装置に関するものである。
【背景技術】
【０００２】
従来、一般的な画像読取装置では、読取対象の原稿における一部分の画像コピーが欲しい場合でも、指定した原稿サイズ（用紙サイズ）の領域分全てに対して読取スキャンして画像情報を読み取るようになっている。
【０００３】
このため、読取情報としては、必要な画像以外も含めて１つの読取ファイルとして生成されるため、資料として使いたい場合、結局、必要な部分のみを切り貼りするという作業が発生する。
【０００４】
また、読取スキャンに際して、指定された用紙サイズの領域を全て照明するため、エネルギを無駄に消費しているといえる。
【０００５】
このため画像読取装置において、原稿に対して任意に原稿読取領域を特定して画像読取を行う技術、および、その読取時に読取領域のみ照明する技術などが提案されている。
【０００６】
特許文献１には、原稿内の任意の読取領域を指定する画像処理装置が記載されている。この装置では、原稿読取面の裏面から読取領域を指定するため、読取領域を示す映像手段を別途必要とする。
【０００７】
特許文献２には、読取範囲指定手段にて指定された読取範囲のみ照明するように発光ダイオードを点灯する画像読取装置が記載されている。読取範囲指定手段は原稿を押え板で固定した後、読取範囲を設定するとの記載はあるが、読取範囲手段に関する具体的な構成についての記載はない。
【０００８】
特許文献３には、原稿サイズを読取領域として検出する画像読取装置が記載されており、この場合、オペレータによって任意に読取領域を指定することができない。
【発明の概要】
【発明が解決しようとする課題】
【０００９】
上記のように従来の技術では、読取対象の原稿に対して任意の読取領域を指定することが可能なものもあるが、その指定方法としては、オペレータが原稿を見ながら、直接的に読取領域の指定を行うことができないため、読取領域を意図するように指定するためには操作性，作業性が悪い。
【００１０】
また、オペレータが指定した読取領域の原稿画像のみをスキャンして読み取り、スキャンエリアのみの読取ファイルを生成することができれば、画像読取の効率化と高速化を図ることができる。また、指定した領域のみ照明するようにすれば、省エネルギ化を図ることが可能になる。
【００１１】
本発明の目的は、従来の技術の課題を解決し、オペレータが原稿を見ながら簡単に原稿読取領域を指定することができるようにし、指定された原稿読取領域のみ照明して省エネルギを図り、かつ効率良く高速に画像読取りが行えるようにした画像読取装置を提供することにある。
【課題を解決するための手段】
【００１２】
前記目的を達成するため、請求項１に記載の発明は、原稿載置台に設けられて、原稿面を視認してオペレータが直接的あるいは間接的に触れた原稿面位置を検出する接触位置検出手段と、前記接触位置検出手段により検出された前記オペレータが接した複数の位置から原稿読取領域を特定する読取領域判定手段と、前記特定された原稿読取領域のみを部分的に照明可能な複数の発光素子からなる原稿面照明手段と、前記読取領域判定手段により特定された原稿読取領域のみを前記原稿面照明手段により照明して、該原稿読取領域の原稿画像のみを読み取る原稿読取手段とを備えたことを特徴とし、この構成により、オペレータは原稿を見ながら原稿面に触れて領域を任意に指定することができ、その指定により原稿読取領域が特定されるため、領域指定の操作性が向上し、さらに、指定された原稿読取領域のみ照明することにより省エネルギを図ることができるため、効率が良く高速に画像読み取りが行える。
【００１３】
請求項２に記載の発明は、請求項１記載の画像読取装置において、接触位置検出手段が光透過性を有し、原稿載置台に載置された原稿を覆った状態において、オペレータが触れた原稿面位置を検出可能にしたことを特徴とし、この構成によって、接触位置検出手段が原稿を覆った状態でも、オペレータは、原稿を見ながら原稿面に触れるようにして、領域を任意に指定することができる。
【００１４】
請求項３に記載の発明は、請求項１記載の画像読取装置において、接触位置検出手段が原稿の読取裏面側に配されることを特徴とする。
【００１５】
請求項４に記載の発明は、請求項２記載の画像読取装置において、接触位置検出手段が原稿の読取面側に配されることを特徴とする。
【００１６】
請求項５に記載の発明は、請求項１〜４いずれか１項記載の画像読取装置において、接触位置検出手段の検出感度が、動作環境ならびに読取原稿の種類に応じて補正可能であることを特徴とし、この構成によって、常に適正かつ確実な領域の指定が可能になる。
【００１７】
請求項６に記載の発明は、請求項１記載の画像読取装置において、原稿読取手段が、オペレータが接して指定した複数の原稿読取領域を１回の読取動作により読取可能であることを特徴とし、この構成によって、読取動作が効率化する。
【００１８】
請求項７に記載の発明は、請求項１〜５いずれか１項記載の画像読取装置において、読取領域判定手段がオペレータの接した位置を検出認識したことを報知する発音手段を備えたことを特徴とし、この構成によって、指定が良好に行われたことを認識でき、オペレータによる領域指定の操作性，信頼性を向上させることができる。
【００１９】
請求項８に記載の発明は、請求項７記載の画像読取装置において、発音手段に報知音を特定の方向に発するように指向性を持たせたことを特徴とし、この構成によって、装置周囲の者に対して発音による迷惑を掛けないようにすることができる。
【００２０】
請求項９に記載の発明は、原稿読取部と、該原稿読取部にて読み取られた原稿情報により記録媒体に対して画像形成を行う画像形成装置において、前記原稿読取部に請求項１〜８いずれか１項記載の画像読取装置を搭載したことを特徴とし、オペレータが要望する原稿中の画像を切り取るような画像形成を容易に行うことができる。
【発明の効果】
【００２１】
本発明に係る画像読取装置によれば、オペレータは原稿を見ながら原稿面に触れて領域を任意に指定することが可能になり、オペレータの意図に合致した領域指定が簡単に行える。そして、その指定により原稿読取領域が自動的に特定されるため領域指定の操作性，作業性が向上する。さらに、指定された原稿読取領域のみ照明することにより省エネルギを図ることができるため、効率が良く高速に画像読み取りが行える。
【００２２】
また、本発明に係る画像読取装置を搭載した画像形成装置によれば、オペレータが要望する原稿中の一部の画像を切り取るような画像形成が可能になる。
【図面の簡単な説明】
【００２３】
【図１】本発明の実施形態である原稿読取装置を設けた画像形成装置の概略構成図
【図２】本発明に係る原稿読取装置の実施形態１の外観斜視図
【図３】本実施形態に用いられる静電容量方式タッチパネルの動作原理の説明図
【図４】本実施形態における読取制御系の構成を示すブロック図
【図５】本実施形態における操作／表示パネル部の要部を示す平面図
【図６】本実施形態におけるタッチパネル部を上面からみた図
【図７】本実施形態における原稿読取領域の設定に係る基本手順を示すフローチャート
【図８】本実施形態におけるＬＥＤアレイの点灯制御の説明図
【図９】本発明に係る原稿読取装置の実施形態２の外観斜視図
【図１０】本発明に係る原稿読取装置の実施形態３の外観斜視図
【図１１】本発明に係る原稿読取装置の実施形態４の外観斜視図
【図１２】本実施形態における発音手段に関する説明図
【図１３】本実施形態におけるタッチパネル部上に載置された原稿の説明図
【図１４】図１３に示す原稿に対する読取領域の説明図
【発明を実施するための形態】
【００２４】
以下、本発明の実施の形態を図面に基づいて説明する。
【００２５】
図１は本発明の実施形態である原稿読取装置を設けた画像形成装置の概略構成図であり、画像形成装置１の上部に原稿読取装置２が設置されている。
【００２６】
画像形成装置１には、給紙カセット３と、公知の電子写真方式の画像形成部４とが内設されている。画像形成部４は、ドラム状の感光体５を主体として、その周囲に帯電部６と、露光部７と、トナー現像部８と、転写部９などから構成されている。
【００２７】
画像形成時、給紙カセット３から用紙が、給紙ローラ１０と分離搬送部１１とによって一枚ずつ給紙搬送される。用紙は、さらに中間搬送ローラ１２を介してレジストローラ１３へ搬送され、該レジストローラ１３により感光体５と転写部９とのニップＮに対して、感光体５に形成されているトナー像の先端にタイミングを合わせて給紙される。
【００２８】
転写部９により像転写が行われた用紙は、加熱加圧定着部１４へ送られて像定着が施された後、排紙ローラ１５により外部トレイ１６へ排出される。
【００２９】
原稿読取装置２は、画像形成装置１上に設けられた原稿台部２０と、該原稿台部２０の一側に回動可能に設けられた原稿カバー部２１とからなる。
【００３０】
図２は本発明に係る原稿読取装置の実施形態１の外観斜視図である。
【００３１】
原稿読取装置の原稿台部２０は、操作／表示パネル部２２と、接触位置検出手段であるタッチパネル部２３と、読取領域判定手段，制御手段などからなる読取制御系（後述する）が原稿台部２０に内蔵されている。
【００３２】
また、原稿カバー部２１には、原稿面読取窓２４が設けられ、後述するＣＣＤヘッドからなる読取手段、およびＬＥＤアレイからなる原稿面照明手段などが原稿カバー部２１に内蔵されている。
【００３３】
原稿台部２０の上面側に設けられている接触位置検出手段であるタッチパネル部２３は、本例では静電容量方式の構造のものである。静電容量方式タッチパネルは、基本的にガラス板上に導電性部材を設け、ガラス板の４隅の発生電流を検知して指接触位置を検出するものである。
【００３４】
図３は静電容量方式タッチパネルの動作原理の説明図であり、表面に一様な電界が発生しているガラス板２５の表面を指Ｆが触れると、電気的にコンデンサとして機能する指Ｆを介してガラス板２５の表面に電界の変化が生じ、ガラス板２５の４隅に微弱な電流が発生する。この各電流の比率を計算することにより、指Ｆが触れた位置を検出することができるようになっている。
【００３５】
図４は本実施形態における読取制御系の構成を示すブロック図であり、制御手段であるＣＰＵ（中央演算処理ユニット）２６を主体として、操作／表示パネル部２２とデータの授受が行われ、オペレータの指が複数接触したタッチパネル部２３の位置検知データを受けて、接触領域を計算するための読取領域判定手段２７が設けられている。
【００３６】
さらに、ＣＰＵ２６は、ＬＥＤアレイ２８の点灯制御を行うＬＥＤ駆動部２９に対して制御信号を出力し、ＬＥＤアレイ２８にて後述するように原稿面を照明する。さらにＣＣＤ駆動部３０を起動してＣＣＤヘッド３１により、ＬＥＤアレイ２８によって照明された原稿面を読み取らせる。
【００３７】
ＣＣＤヘッド３１により読み取られた画像データは、データ変換されて画像形成装置１の露光部７の露光駆動部３２へ出力され、露光部７において画像データに対応した感光体５への露光を行い、感光体５に対して潜像を形成する。該潜像はトナー現像部８にてトナー像として現像され、該トナー像が上述したように用紙に転写される。
【００３８】
本実施形態による通常の原稿読取について説明する。
【００３９】
先ず、原稿をタッチパネル部２３に読取面を上にして載置する。オペレータがそのまま原稿カバー部２１を閉じ、操作／表示パネル部２２のスタートスイッチによりコピースターすると、自動認識した用紙サイズ、あるいは操作／表示パネル部２２にて設定された用紙サイズに基づき原稿面全てをＬＥＤアレイ２８により照明スキャンし、ＣＣＤヘッド３１により周知の読取り動作を行う。
【００４０】
次に、本実施形態の特徴である原稿読取領域を特定した読取動作について説明する。
【００４１】
図５は本実施形態における操作／表示パネル部の要部を示す平面図である。
【００４２】
図５において、読取領域（エリア）指定ボタン３５と、接触（設定）位置確定ボタン３６と、取り消し（キャンセル）ボタン３７と、領域決定ボタン３８と、認識ランプ３９が操作／表示パネル部２２上に設けられている。
【００４３】
図２において、原稿をタッチパネル部２３に読取面を上にして載置し、オペレータが操作／表示パネル部２２のエリア指定ボタン３５を押すとエリア指定モードとなる。この状態でオペレータが、原稿を見ながら原稿読取面を介して、指でタッチパネル部２３を触れて指示した領域が読取エリアとなって読み取りが開始される。
【００４４】
本実施形態における前記エリア指定に関する動作について、図４〜図７を参照して説明する。
【００４５】
図６は本実施形態におけるタッチパネル部２３を上面からみた図であって、ここでは原稿内の丸型の図形を読取対象とした場合について説明する。図７は本実施形態における原稿読取領域の設定に係る基本手順を示すフローチャートである。
【００４６】
図６において、オペレータが原稿を見ながら原稿読取面上のＡ点に触れると、タッチパネル部２３が該タッチパネル部２３の原点からのＡ点の座標（Ｘａ，Ｙａ）を認識する（ステップＳ１）。座標を認識すると操作／表示パネル２２の認識ランプ３９が点滅して、認識された旨を表示すると同時に、その座標を表示部４０に表示する（本例では、Ｘ：１２．３ｃｍ，Ｙ：１０．０ｃｍ，ステップＳ２）。
【００４７】
ここで、オペレータにより接触して指示した位置が確認できれば、オペレータは位置確定ボタン３６を押す（ステップＳ３）。座標データはＣＰＵ２６のメモリーに記憶される（ステップＳ４）。しかし、原稿のセットなどで接触したことなどによる位置の誤検出があったときには、オペレータは座標を確認した後、キャンセルボタン３７を押す。
【００４８】
前記Ａ点の接触位置が確定した後、オペレータが原稿面上のＢ点（座標Ｘｂ，Ｙｂ）に触れると、前記と同様にタッチパネル部２３がＢ点を認識したことを、操作／表示パネル２２の認識ランプ３９に表示する。オペレータは、接触した位置が正しければ位置確定ボタン３６を押す。座標データはＣＰＵ２６のメモリーに記憶される（ステップＳ１〜Ｓ４）。
【００４９】
そして、オペレータは、原稿指定領域がＡ点とＢ点を対角線とする領域で囲まれる部分であることで指定ＯＫとすれば領域決定ボタン３８を押す（ステップＳ５）。
【００５０】
領域決定ボタン３８が押されると、読取領域判定手段２７がＡ点とＢ点を対角線とした領域（図４の点線部）を原稿読取領域と判定し、原稿読取領域が特定される（ステップＳ６）。
【００５１】
さらに他の複数の接触点により原稿読取領域を設定する場合は、前記操作を必要な数だけ連続して行うことにより、各部が前記と同様に動作して原稿読取領域が特定される。
【００５２】
前記判定／特定が終了し、オペレータにより操作／表示パネル部２２上のコピースタートボタンが押されると、制御手段であるＣＰＵ３６が判定結果に従い画像形成部４の各部へ駆動出力を送り、読取動作を開始させる。
【００５３】
ＣＰＵ３６は、読取領域判定手段２７が判定した原稿読取領域に対応して、ＬＥＤ駆動部２９に対して制御信号を出力し、ＬＥＤアレイ２８を点灯させて原稿面を照明させる。さらに、ＣＰＵ３６は、ＣＣＤ駆動部３０を起動して、ＣＣＤヘッド３１により前記照明された原稿面を読み取らせる。ＣＣＤヘッド３１は、原稿読取領域近傍まで高速に移動するように、副走査方向に走行駆動制御される。
【００５４】
本実施形態において、原稿面照明手段であるＬＥＤアレイ２８は、原稿読取方向の短手方向（主走査方向）に一列に配置された白色ＬＥＤで構成されており、主走査方向（ライン方向）の原稿読取領域の画像データを読み取るのに必要な個所のＬＥＤのみが点灯駆動制御される。
【００５５】
すなわち、図８に示すように、原稿読取領域である主走査方向の幅がＸｏの場合、ＬＥＤアレイ２８における主走査幅方向の全ＬＥＤを点灯させるのではなく、前記Ｘｏ幅を読み取るのに充分な点灯幅Ｘｌに相当するＬＥＤのみを点灯する。
【００５６】
主走査方向の原稿読取領域に対し、読取画像品質を劣化させることない照明域が得られる点灯幅（ここではＸｌ）は、予め設定しておく必要がある。また、副走査方向の照明域（点灯タイミング）もＣＣＤヘッド３１の移動時の加減速などを考慮して前記と同様に設定しておく。
【００５７】
上記のようにして読み取られた原稿読取領域の画像データは、指定した記憶装置にファイルとして保存されるか、あるいは画像形成装置１にて用紙に画像として出力される。
【００５８】
本実施形態に用いられる接触位置検出手段であるタッチパネルとしては、原稿台面に膜を形成する周知の抵抗膜式あるいは静電方式を用いることができる。また、本実施形態において、接触位置検出手段を原稿における読取裏面に設けているので、読み取りの光学特性に影響を与えることはない。このように、オペレータとしては、原稿面から直接読取領域を指定することができるため、画像読取領域の設定操作が容易である。
【００５９】
図９は本発明に係る原稿読取装置の実施形態２の外観斜視図である。なお、以下の説明において、既に説明した部材に対応する部材には同一符号を付して詳しい説明は省略する。実施形態２は、原稿面読取窓２４に載置される原稿の裏面側に、接触位置検出手段であるタッチパネル部が配される構成のものである。
【００６０】
本実施形態では、原稿読取手段（ＬＥＤアレイ２８，ＣＣＤヘッド３１など）を原稿台部２０に設け、読取対象の原稿面を下向きにセットする。シート状のタッチパネル部２３（ハッチング部分）を、原稿面読取窓２４が設けられた原稿台部２０の一辺に取り付け、原稿裏面（読取対象面とは反対面）の上にタッチパネル部２３を覆うようにして用いる。
【００６１】
この場合、タッチパネル部２３は光透過性を有する構成とし、原稿の裏面からタッチパネル部２３を通して見える読取対象の原稿面を、原稿の押えを兼ねて覆ったタッチパネル部２３により上述したと同様にして原稿読取領域の指定および特定が行われるようにしている。領域指定後は、タッチパネル部２３の上を覆うようにして原稿カバー部２１を閉じて原稿の読み取りを行う。
【００６２】
図１０は本発明に係る原稿読取装置の実施形態３の外観斜視図である。本実施形態では、原稿読取手段（ＬＥＤアレイ２８，ＣＣＤヘッド３１など）を原稿台部２０に設け、原稿台部２０に、タッチパネル部２３を設置した原稿面読取窓２４を設け、原稿カバー部２１は単に原稿を押えるだけの機能の部材としている。
【００６３】
本実施形態では、原稿読取領域の指定は原稿裏面から行うことになる。読取操作の手順は上述と同様である。異なることは原稿読取領域を原稿の裏面から設定するということと、タッチパネル部２３を設けた原稿面読取窓２４で読み取りを行うことである。
【００６４】
このため、抵抗膜式や静電容量方式のように膜を用いたタッチパネル部２３の光学（光透過）特性により、読取品質が比較的劣化する。したがって、タッチパネル部２３の構成としては、電界膜を必要としない、音波などでガラス表面の振動を用いて位置検出する構成のものを用いるとよい。この場合、音波検出のフィルタリングを可能にすることにより、原稿読取領域指定時の指接触と、それ以外の接触（例えば原稿セット時などの複数点同時接触）を判別することができる。
【００６５】
図１１は本発明に係る原稿読取装置の実施形態４の外観斜視図である。本実施形態では、原稿読取手段（ＬＥＤアレイ２８，ＣＣＤヘッド３１など）を原稿面読取窓２４が設置された原稿カバー部２１に設け、シート状のタッチパネル部２３を原稿台部２０の一辺に取り付けている。
【００６６】
本実施形態では、原稿を原稿台部２０上に読取対象の原稿面を上向きにセットし、タッチパネル部２３を原稿の上を覆うように閉じ、タッチパネル部２３を介して原稿読取領域の設定を上述したと同様に行う。
【００６７】
領域指定後は、タッチパネル部２３を原稿上から外方へ回動させて退避させ、原稿面読取窓２４を原稿台部２０上に載置させた後、読み取りが行われる。
【００６８】
このとき原稿台部２０の位置指定に従い原稿をセットすることにより、タッチパネル部２３を取り外した際、原稿位置が領域指定時とずれた場合でも、指定領域が大きく異なることを防ぐことができる。
【００６９】
ここで、原稿読取領域の指定操作時、オペレータの視線は原稿に集中しており、操作／表示パネル部２２に注意を払えない場合が多い。このため本実施形態では、図１２に示すように、操作／表示パネル部２２の近傍にブザー，スピーカなどの発音手段４１を設け、上述した接触位置の検出認識、およびキャンセル、および読取領域確定した旨を、操作／表示パネル部２２上での表示パネルによる表示と共に、オペレータＯに対して音または音声で報知通知する。
【００７０】
また、接触位置の確定時、キャンセル時、エリア確定時ごとに、音色または音声をそれぞれ変えることによってオペレータの報知認識および操作性を向上させることができる。
【００７１】
ところで、発音手段４１が発する音色または音声は、オペレータが認識できるようある程度の音量を必要とする。その場合、オペレータだけでなく、周辺にいる者にまで報知通知の音声などが聞こえ、他の作業を行っている者にとって騒音と認識される可能性がある。
【００７２】
このような不具合を防止するため、本実施形態では、図１２に示すように、指向性を有した発音手段（スピーカ）４１を操作／表示パネル部２２近傍に設け、オペレータＯのみ聞こえるような音場（斜線部）を作り、報知通知のための音色または音声をオペレータＯのみに向けて発するようにする。
【００７３】
この場合、音声で振幅変調された変調波を、超音波を搬送波として非線形性が生じる大きな振幅で空気中に放射することにより指向性が得られる。変調波が空気中を伝播する過程で空気の非線形性により生じるひずみによって指向性の高い音場が形成される。
【００７４】
なお、タッチパネル部２３の一種である静電容量方式は、指が接触することによって生じるガラス板などからなるパネルの４隅の電界変化による電流値を計測することにより接触位置を検出するが、環境変化によって同じ接触圧を加えても検出されない場合が生じる。
【００７５】
また、同じ環境下であっても、オペレータ（接触の仕方）の違いによって、検出具合は変化することがある。このため、タッチパネル部２３に接触圧調整部を設けて、オペレータが検出感度をコントロールすることができるようにする。例えば、操作／表示パネル部２２に感度設定部を設け、＋は感度増、−は感度低として、オペレータに適した検出感度に設定できるようにする。
【００７６】
本実施形態では、上述したように原稿読取領域が決定されると、図８に示すようにＣＰＵ３６によるＬＥＤアレイ２８の点灯制御が行われる。この点灯制御について、図１３，図１４を参照して説明する。
【００７７】
図１３はタッチパネル部上に載置された原稿の説明図である。図１４は図１３に示す原稿の読取領域の説明図である。
【００７８】
図１３において、原稿Ｄにはドーナツの画像Ｋ，飛行機の画像Ｈなどか記載されており、この原稿Ｄからドーナツの画像Ｋを点Ａ，点Ｂの２点を対角線とする領域にて指定し、飛行機の画像Ｈをフリーハンドで囲んだ領域で指定したとする。
【００７９】
このとき、図１４に示すように、主走査方向にＬＥＤが複数並設されたＬＥＤアレイ２８が、原稿照明開始前に、図において原稿Ｄの左端に位置して待機しており、矢印方向（副走査方向）に照明走査するものとする。
【００８０】
図１３に示すように、ＬＥＤアレイ２８は、走査開始からドーナツの画像Ｋにおける指定点Ａ（距離Ｙａ）以前まで全ＬＥＤが消灯状態であり、指定点Ａに達すると、ＬＥＤアレイ２８において、原点位置から距離Ｘａに対応するＬＥＤから、距離Ｘｂに対応するＬＥＤまでを点灯する。この点灯を指定点Ｂ（距離Ｙｂ）まで続ける。指定点Ｂを過ぎると全てのＬＥＤを消灯する。
【００８１】
さらに走査を続けて、飛行機の画像Ｈの指定位置（距離Ｙ１）に達すると、以降、フリーハンドで指定された領域に対応する位置のＬＥＤを点灯する。ＬＥＤアレイ２８の走査位置が距離Ｙ２に達したとき、ＬＥＤアレイ２８の原点位置から距離Ｘ１に対応するＬＥＤから、距離Ｘ２に対応するＬＥＤまでを点灯する。そして、距離Ｙ３まで指定領域に応じてＬＥＤアレイ２８の点灯範囲を変えながらＬＥＤの点灯を続け、距離Ｙ３を過ぎた時点で全てのＬＥＤを消灯する。
【００８２】
前記照明走査によりＬＥＤアレイ２８で照明された箇所は、図１４に示す斜線部分となる。この傾斜部分（照明部分）に対してＣＣＤヘッド３１が画像読み取りを行う。
【００８３】
なお、点灯領域と指定領域とは同じになるとは限らない。このため、読取結果を見てＣＣＤヘッド３１における光学系の光学特性に応じた点灯箇所（点灯領域）を調整することが必要である。
【産業上の利用可能性】
【００８４】
本発明は、複写機，ファクシミリ装置など原稿読取部を備えた画像形成装置における原稿読取装置として有効であるが、スキャナなどの単体の原稿読取装置にも適用される。
【符号の説明】
【００８５】
１  画像形成装置
２  原稿読取装置
４  原稿形成部
２０  原稿台部
２１  原稿カバー部
２２  操作／表示パネル部
２３  タッチパネル部
２４  原稿面読取窓
２６  ＣＰＵ
２７  読取領域判定手段
２８  ＬＥＤアレイ
２９  ＬＥＤ駆動部
３０  ＣＣＤ駆動部
３１  ＣＣＤヘッド
３５  読取領域指定ボタン
３６  接触位置確定ボタン
３７  キャンセルボタン
３８  領域決定ボタン
３９  認識ランプ
４０  表示部
４１  発音手段
【先行技術文献】
【特許文献】
【００８６】
【特許文献１】特開２００７−５３４１５号公報
【特許文献２】特開平８−３１７１９２号公報
【特許文献３】特開２００８−１７７６６４号公報
【図１】
2010212858.tif 000003
【図２】
2010212858.tif 000004
【図３】
2010212858.tif 000005
【図４】
2010212858.tif 000006
【図５】
2010212858.tif 000007
【図６】
2010212858.tif 000008
【図７】
2010212858.tif 000009
【図８】
2010212858.tif 000010
【図９】
2010212858.tif 000011
【図１０】
2010212858.tif 000012
【図１１】
2010212858.tif 000013
【図１２】
2010212858.tif 000014
【図１３】
2010212858.tif 000015
【図１４】
2010212858.tif 000016